(57)【特許請求の範囲】
【請求項１】
冷水器本体内に貯水槽が配設されており、この貯水槽の上端部には、容器を着脱自在に装着させるための容器装着部材が配設され、この容器装着部材に装着された容器内の水を上記貯水槽内に供給可能に構成されていると共に、上記貯水槽は、仕切板によって上下貯水部に分けられ、これら上下貯水部は一部において連結、連通していると共に上記仕切板の外周縁に下方に向かって氷規制部が延設されており、上記下側貯水部には冷却手段が配設されて上記下側貯水部内の水を冷却可能に構成され、上記上側貯水部内の水と、上記下側貯水部内の水とを別々に取り出し可能に構成されていることを特徴とする冷水器。
【請求項２】
貯水槽の下方に酸素を上記貯水槽内に供給するための酸素供給部が配設されていると共に、仕切板の下面には筒状の酸素保持板が一体的に設けられ、この酸素保持板と上記仕切板とで囲まれた部分を上記酸素供給部から供給された酸素を保持するための酸素空間部に形成しており、この酸素空間部を構成している仕切板部分に上下貯水部同士を連結する酸素流通孔が形成され、この酸素流通孔を通じて酸素空間部内の酸素を上側貯水部に供給するように構成していることを特徴とする請求項１に記載の冷水器。
【請求項３】
仕切板に上下方向に貫通した状態に連結管部を一体的に設けていると共に、酸素空間部を構成している仕切板部分の上面に筒状の仕切壁を上記連結管部を包囲した状態に立設し、この仕切壁で囲まれた空間部内に容器装着部材に装着された容器内の水が供給されるように構成されていると共に、上記仕切壁で囲まれた仕切板部分に酸素流通孔を形成してあり、上記連結管部を通じて上側貯水部内の水を取り出すように構成していることを特徴とする請求項２に記載の冷水器。
【請求項４】
貯水槽の底部に排出部材が一体的に設けられており、この排出部材は、有底筒状の排出部と、この排出部の底部を貫通する排出管とからなる一方、仕切板に上下貯水部を連通させる連結管部が一体的に設けられており、この連結管部の下端部が排出部材の排出管に接続され、上記排出部材の排出部内は第一接続管を介して第一蛇口部に接続されていると共に、上記排出管の下端部は第二接続管を介して第二蛇口部に接続されていることを特徴とする請求項１に記載の冷水器。
【請求項５】
容器装着部材は、有底筒状の支持部と、この支持部の底部から上方に向かって突設され且つ容器の口部を着脱自在に被嵌させる装着部とを備え、上記装着部内には上記貯水槽に連通する空間部が形成され、この空間部を介して上記支持部内と貯水槽内とが連通していることを特徴とする請求項１に記載の冷水器。
【請求項６】
第二接続管には加熱手段が配設されていることを特徴とする請求項４に記載の冷水器。
【発明の詳細な説明】
【技術分野】
【０００１】
本発明は、冷水器に配設した容器内の水を冷却水と外気温に近い水の二つの状態にして取り出すことができる冷水器に関する。
【背景技術】
【０００２】
今日、深海からくみ出した水や、地下水をくみ出した水が、ミネラル分やその他の成分を豊富に含んでいることから、コンビニエンスストアやその他の小売店において販売されている。
【０００３】
このような水は、水中に含まれたミネラル分などが加熱によって破壊されてしまうことから、通常、冷却するか或いはそのままの状態で飲まれる。そして、飲料水を貯水槽内に保持しておき、必要な時に貯水槽内から取り出して飲むことができる冷水器が特許文献１などにおいて提案されている。
【０００４】
しかしながら、上記冷水器は、冷却した水しか取り出すことができず、冷却せずにそのままの水を飲みたい場合には、別途、水を用意する必要があり、面倒であるといった問題があった。
【０００５】
又、上記冷水器において、冷却する水を貯留している貯水部とは別に、冷却しない水を貯留しておく貯水部を設けてもよいが、冷却された水と冷却しない水の何れか一方の水が他方の水に比べて多く消費されたような場合には、消費されなかった貯水部内の水は長期間に亘って貯留されることとなり、衛生上好ましくないといった問題点が発生する。
【特許文献１】特表２００２−５２７２３９号公報
【発明の開示】
【発明が解決しようとする課題】
【０００６】
本発明は、ペットボトルなどの容器内に収容した水を冷却した水（以下、単に「冷却水」という）と、殆ど冷却しない外気温に近い状態の水（以下、「常温水」という）とにした状態で収容し、好みに応じて、冷却水と常温水の何れかを取り出して飲むことができると共に、冷却水と常温水の何れかが他方に比較して多く飲まれた場合にあっても、貯水槽内の水は冷却水及び常温水の区別なく減少し、常に新鮮な状態の冷却水及び常温水を取り出して飲むことができる冷水器を提供する。
【課題を解決するための手段】
【０００７】
本発明の冷水器は、冷水器本体内に貯水槽が配設されており、この貯水槽の上端部には、容器を着脱自在に装着させるための容器装着部材が配設され、この容器装着部材に装着された容器内の水を上記貯水槽内に供給可能に構成されていると共に、上記貯水槽は、仕切板によって上下貯水部に分けられ、これら上下貯水部は一部において連結、連通しており、上記下側貯水部には冷却手段が配設されて上記下側貯水部内の水を冷却可能に構成され、上記上側貯水部内の水と、上記下側貯水部内の水とを別々に取り出し可能に構成されていることを特徴とする。
【０００８】
そして、上記冷水器において、仕切板の外周縁に下方に向かって氷規制部が延設されていることを特徴とする。
【０００９】
又、上記冷水器において、貯水槽の下方に酸素を上記貯水槽内に供給するための酸素供給部が配設されていると共に、仕切板の下面には筒状の酸素保持板が一体的に設けられ、この酸素保持板と上記仕切板とで囲まれた部分を上記酸素供給部から供給された酸素を保持するための酸素空間部に形成しており、この酸素空間部を構成している仕切板部分に上下貯水部同士を連結する酸素流通孔が形成され、この酸素流通孔を通じて酸素空間部内の酸素を上側貯水部に供給するように構成していることを特徴とする。
【００１０】
更に、上記冷水器において、仕切板に上下方向に貫通した状態に連結管部を一体的に設けていると共に、酸素空間部を構成している仕切板部分の上面に筒状の仕切壁を上記連結管部を包囲した状態に立設し、この仕切壁で囲まれた空間部内に容器装着部材に装着された容器内の水が供給されるように構成されていると共に、上記仕切壁で囲まれた仕切板部分に酸素流通孔を形成してあり、上記連結管部を通じて上側貯水部内の水を取り出すように構成していることを特徴とする。
【００１１】
又、上記冷水器において、貯水槽の底部に排出部材が一体的に設けられており、この排出部材は、有底筒状の排出部と、この排出部の底部を貫通する排出管とからなる一方、仕切板に上下貯水部を連通させる連結管部が一体的に設けられており、この連結管部の下端部が排出部材の排出管に接続され、上記排出部材の排出部内は第一接続管を介して第一蛇口部に接続されていると共に、上記排出管の下端部は第二接続管を介して第二蛇口部に接続されていることを特徴とする。
【００１２】
そして、上記冷水器において、容器装着部材は、有底筒状の支持部と、この支持部の底部から上方に向かって突設され且つ容器の口部を着脱自在に被嵌させる装着部とを備え、上記装着部内には上記貯水槽に連通する空間部が形成され、この空間部を介して上記支持部内と貯水槽内とが連通していることを特徴とする。
【００１３】
又、上記冷水器において、第二接続管には加熱手段が配設されていることを特徴とする。
【発明の効果】
【００１４】
本発明の冷水器は、冷水器本体内に貯水槽が配設されており、この貯水槽の上端部には、容器を着脱自在に装着させるための容器装着部材が配設され、この容器装着部材に装着された容器内の水を上記貯水槽内に供給可能に構成されていると共に、上記貯水槽は、仕切板によって上下貯水部に分けられ、これら上下貯水部は一部において連結、連通しており、上記下側貯水部には冷却手段が配設されて上記下側貯水部内の水を冷却可能に構成され、上記上側貯水部内の水と、上記下側貯水部内の水とを別々に取り出し可能に構成されていることを特徴とするので、容器内に収納した水を貯水槽内に貯留し、上側貯水部においては常温に近い状態にて水が貯留されていると共に、下側貯水部においては冷却した状態で貯留されており、常温水と冷却水とを好みに応じて取り出すことができる。
【００１５】
そして、上下貯水部は一つの貯水槽から形成され、上下貯水部は互いに連結、連通しているので、何れか一方の貯水部の水が減少すると、外部から新しい水が供給され、上下貯水部内の水は常に新鮮な状態が保持される。
【００１６】
特に、下側貯水部の水が減少した場合には、上側貯水部内の水が下側貯水部内に流れ込み、常温にて貯留されており変質し易い上側貯水部内の水を、冷却状態にて貯留しており水を変質させ難い下側貯水部内に積極的に移動させており、貯水槽内の水を全体として常に新鮮な状態となるように循環させている。
【００１７】
そして、上記冷水器において、仕切板の外周縁に下方に向かって氷規制部が延設されているので、下側貯水部にて発生した氷が上側貯水部に移動するのを防止して、上側貯水部では常温にて、下側貯水部では冷却状態にて水を確実に貯留できるようにしている。
【００１８】
更に、上記冷水器において、貯水槽の下方に酸素を上記貯水槽内に供給するための酸素供給部が配設されていると共に、仕切板の下面には筒状の酸素保持板が一体的に設けられ、この酸素保持板と上記仕切板とで囲まれた部分を上記酸素供給部から供給された酸素を保持するための酸素空間部に形成しており、この酸素空間部を構成している仕切板部分に上下貯水部同士を連結する酸素流通孔が形成され、この酸素流通孔を通じて酸素空間部内の酸素を上側貯水部に供給するように構成しているので、上下貯水部内の水に酸素を溶け込ませることができ、特に、下側貯水部内の水に酸素をより多く溶け込ませることができる。
【００１９】
そして、上記冷水器において、仕切板に上下方向に貫通した状態に連結管部を一体的に設けていると共に、酸素空間部を構成している仕切板部分の上面に筒状の仕切壁を上記連結管部を包囲した状態に立設し、この仕切壁で囲まれた空間部内に容器装着部材に装着された容器内の水が供給されるように構成されていると共に、上記仕切壁で囲まれた仕切板部分に酸素流通孔を形成してあり、上記連結管部を通じて上側貯水部内の水を取り出すように構成している場合には、下側貯水部内の水と、上側貯水部内の水を酸素空間部内に溜めた酸素層によって熱的に切断して、上側貯水部内の水が、下側貯水部内の水によって冷却されるのを抑えることができ、上側貯水部内の水を常温水に、下側貯水部内の水を冷却水に確実に維持しておくことができる。
【００２０】
又、上記冷水器において、貯水槽の底部に排出部材が一体的に設けられており、この排出部材は、有底筒状の排出部と、この排出部の底部を貫通する排出管とからなる一方、仕切板に上下貯水部を連通させる連結管部が一体的に設けられており、この連結管部の下端部が排出部材の排出管に接続され、上記排出部材の排出部内は第一接続管を介して第一蛇口部に接続されていると共に、上記排出管の下端部は第二接続管を介して第二蛇口部に接続されている場合には、上下貯水部内の水を確実に分離した状態に取り出すことができる。
【００２１】
そして、上記冷水器において、容器装着部材は、有底筒状の支持部と、この支持部の底部から上方に向かって突設され且つ容器の口部を着脱自在に被嵌させる装着部とを備え、上記装着部内には上記貯水槽に連通する空間部が形成され、この空間部を介して上記支持部内と貯水槽内とが連通しているので、容器内の水を安定的に貯水槽内に供給することができる。
【００２２】
更に、上記冷水器において、第二接続管に加熱手段が配設されている場合には、下側貯水部内の水によって冷却された、上側貯水部内に貯留した水及び連結管部内の水を、加熱手段によって加熱して第二蛇口部から取り出される水を確実に常温に近い状態とすることができる。
【発明を実施するための最良の形態】
【００２３】
本発明の冷水器Ａの一例を図１〜４を参照しつつ説明する。図１において、１は、冷水器本体であり、この冷水器本体１内は上下載置板11、12によって上下方向に三個に区画され、それぞれ上から下に向かって上側空間部13、中央空間部14及び下側空間部15とされている。
【００２４】
冷水器本体１の上側空間部13内には貯水槽２が配設されている。この貯水槽２は、平面矩形状の底部21と、この底部21の外周縁から上方に向かって延設された周壁部22とからなる有底筒状に形成されており上端は全面的に開口している。
【００２５】
そして、冷水器本体１の上端面には開口部16が形成されており、この開口部16の垂直下方に貯水槽２の上端開口部が位置した状態となるように、貯水槽２の上端開口端部を冷却器本体１に固定させている。
【００２６】
更に、冷水器本体１の開口部16には容器装着部材３が一体的に設けられている。この容器装着部材３は、平面円形状の底部31とこの底部31の外周縁から上方に延設された円筒状の周壁部32とからなる支持部3aと、この支持部3aの底部31に一体的に設けられた装着部3bとを備えている。なお、支持部3aの底部31と周壁部32との連設部には、支持部3aの内外面間に亘って貫通する貫通孔3cが形成されている。
【００２７】
容器装着部材３の支持部3aの周壁部32は、下半部が一定の内径を有する円筒部32aと、この円筒部32aの上端に連続し且つ上方になるにしたがって外方に向かって内径が大きくなるすり鉢状の容器支持部32bとを備えている。
【００２８】
そして、容器装着部材３の支持部3aにおける容器支持部32bの内周面321bは、外方に向かって円弧状に湾曲した曲面に形成されており、この内周面321bによって容器Ｂの上部B2を支持するように構成されている。
【００２９】
更に、容器装着部材３の支持部3aの周壁部32の上端縁にはその全周に亘ってリング状の水平部33が延設され、この水平部33の外周縁にはその全周に亘って垂直下方に向かって外側壁部34が延設されている。
【００３０】
又、容器装着部材３の支持部3aの底部31には装着部3bが一体的に設けられている。この装着部3bは、上端が閉塞され且つ下端が全面的に開口してなる一定長さを有する有底円筒状に形成され、上端の閉塞部を上方にして支持部3aの底部31を貫通して下端部を支持部3aの底部31の下面から下方に突出させている。
【００３１】
そして、装着部3bの上端部には、その内外周面間に亘って貫通する流通孔部35、35が直径方向に対向した状態に形成されており、この流通孔部35、35及び装着部3b内の空間部を通じて、支持部3aの内側と外側とが連通した状態となっている。
【００３２】
容器装着部材３の支持部3a内に、ペットボトルなどの容器Ｂをその開口部を下方にして配設すると、容器Ｂの上部B2が容器支持部32bの内周面321bに支持された状態となると共に、容器Ｂの口部B1が容器装着部材3の装着部3bの上端部に被嵌した状態となる。この状態では、容器Bの口部B1内に、装着部3bの流通孔部35、35が位置した状態となる。
【００３３】
容器装着部材３を冷水器本体１の開口部16内に上方から挿入することによって、容器装着部材３の支持部3aの外側壁部34が冷水器本体１の開口部16の内周面16aに当接した状態に、容器装着部材３が冷水器本体１の開口部16内に装着一体化されている。
【００３４】
容器装着部材３の支持部3aは、その円筒部32aがその上端部を除いて貯水槽２内に位置した状態となっており、容器装着部材３に容器Ｂを装着した状態において、容器Ｂの口部B1の開口端（下端）が貯水槽２の上端よりも下方に位置した状態となるように構成されている。
【００３５】
又、貯水槽２内の上下方向の中央部には仕切板４が配設されている。この仕切板４は、貯水槽２の底部21と同一形状で且つ底部21よりも一回り小さな大きさに形成されており、この仕切板４によって、貯水槽２内が上下貯水部2a、2bに区画されている一方、仕切板４の外周縁と、この外周縁に対向する貯水槽２の内周面との間には全周に亘って隙間2cが形成されており、上下貯水部2a、2bは隙間2cによって連結、連通した状態とされている。
【００３６】
そして、仕切板４の外周縁にはその全周に亘って筒状の氷規制部41が一体的に設けられており、この氷規制部41によって下側貯水部2b内で形成された氷が上側貯水部2a内に侵入しないように構成されている。
【００３７】
更に、仕切板４の下面外周縁部には、一定高さを有する筒状の酸素保持板42が後述する連結管部46を包囲するように一体的に設けられており、この酸素保持板42と、この酸素保持板42で囲まれた仕切板４部分とによって酸素空間部43が形成されており、この酸素空間部43によって酸素供給部７から供給される酸素を保持し酸素層43aを形成することができるように構成されている。
【００３８】
一方、仕切板４の上面には、上記酸素保持板42よりも小さな直径を有し且つ容器装着部材３の支持部3aの円筒部32aよりも大きな直径を有する一定高さの円筒状の仕切壁44が後述する連結管部46を包囲するように上方に向かって突設されており、容器装着部材３の保持部3aの下端部が仕切壁44の上部内に位置している。なお、仕切壁44の上端が、容器装着部材３の装着部3bに装着した容器Ｂの口部B1の開口端(下端)よりも下方に位置するように構成されている。
【００３９】
そして、仕切壁44で囲まれた仕切板４部分には、この仕切板４を上方に半円球状に膨出させることによって膨出部45が複数個、形成され、この各膨出部45の頂部に酸素流通孔45aが上下面間に貫通した状態で貫設されており、酸素空間部43内に保持された酸素が断続的に酸素流通孔45aを通じて仕切板４の上方、即ち、上側貯水部2aに供給されるように構成されている。なお、酸素流通孔45aの直径は、通常、２．５ｍｍ以下、好ましくは１〜２ｍｍに調整されている。
【００４０】
更に、仕切板４の中央部には該仕切板４を上下方向に貫通した状態に一定長さを有する連結管部46が一体的に設けられており、連結管部46は、その内部に上下方向に貫通する貫通孔を有しており、その貫通孔の上端開口部が、容器装着部材３の装着部3bの下端開口部から垂直下方に僅かに離れた位置に位置している一方、貫通孔の下端開口部は後述する排出部材５の排出管53に水密的に接続されている。
【００４１】
又、貯水槽２の底部21には取付口21aが上下面間に亘って形成されており、この取付口21aに排出部材５が一体的に設けられている。この排出部材５は、排出部5aとこの排出部5aに一体化されたカバー部5bとを備えている。
【００４２】
排出部5aは、平面円形状の底部51とこの底部51の外周縁から上方に向かって延設された一定高さを有する周壁部52とからなる有底円筒状に形成されており、周壁部52にはその内外周面間に亘って貫通する貫通孔52aが開設されており、この貫通孔52aの外側開口端には後述する第一接続管61を接続するための接続短管52bが形成されている。なお、排出部5aの周壁部52の上端縁には外方に水平方向に向かってフランジ部52cが延設されている。
【００４３】
更に、排出部5aの底部51には、上下方向に貫通する貫通孔を有する排出管53が底部51を上下方向に貫通した状態に形成されており、排出管53は、その下端部が排出部5aの底部51の下面から下方に向かって突出し且つ上端部が排出部5aの周壁部52の上端開口部から上方に向かって突出した状態に配設されている。なお、排出管53の上下端部の外周面には螺子部53a、53bが形成されている。
【００４４】
又、カバー部5bは、内部に上下方向に貫通した貫通孔を有する管体部54と、この管体部54の外周面にその周方向に一定間隔毎に形成された複数個の挟持片部55とからなる。この挟持片部55は、管体部54の下端部外周面から外方に水平方向に突設された平面扇状の挟持片55a、及び、この挟持片55aの両端縁と管体部54の外周面とを連結している側面三角形状の板部55bからなり、互いに隣接する挟持片部55、55の板部55b、55b間には上下方向に貫通する開口部55cが形成されている。
【００４５】
そして、カバー部5bの管体部54の下端部内周面には、排出部5aの排出管53の上側螺子部53aに螺合可能な螺子部54aが形成されている。カバー部5bの管体部54の螺子部54aを排出部5aの排出管53の上側螺子部53aに螺合一体化させることによって、排出部5aの上端部にカバー部5bが一体化されている。
【００４６】
又、貯水槽２の底部21にはその内外面間に亘って貫通した状態に取付口21aが形成されており、排出部5aの周壁部52のフランジ部52cとこれに対向するカバー部5bの挟持片55aとによって、上記貯水槽２の取付口21aの外周縁部を上下方向から挟持することにより、貯水槽２の底部21に排出部材５が一体的に設けられている。なお、排出部5aの周壁部52のフランジ部52cとこれに対向するカバー部5bの挟持片55aとの間にはパッキングを配設してある。
【００４７】
なお、排出部材５の排出部5aにおける排出管53の下側螺子部53bは、上側載置板11に形成された螺子孔11a内に挿入、螺合一体化されている。
【００４８】
そして、排出部材５の管体部54の上端部に、仕切板４の連結管部46の下端部が水密的に被嵌一体化しており、上側貯水部2a内と、排出部材５の排出管53内とが、仕切板４の連結管部46内及び排出部材５の管体部54内を通じて、下側貯水部2b内と水密的に完全に区画された状態で連結、連通している。
【００４９】
一方、下側貯水部2b内と、排出部材５の排出部5a内とは、カバー部5bにおける互いに隣接する挟持片部55間に形成された開口部55cを通じて、仕切板４の連結管部46内並びに排出部材５の排出管53及び管体部54内と水密的に完全に区画された状態で連結、連通している。
【００５０】
更に、排出部材５の排出部5aの周壁部52に形成された接続短管52bに第一接続管61の一端を接続すると共に、第一接続管61の他端を第一蛇口部62に接続させることによって、排出部材５の排出部5a内と第一蛇口部62とを接続してあり、レバー部62aを操作することによって第一蛇口部62から下側貯水部2b内の水を開閉自在に取り出すことができるように構成されている。
【００５１】
同様に、排出部材５の排出管53の下端部に第二接続管63の一端を接続すると共に、第二接続管63の他端を第二蛇口部64に接続させることによって、排出部材５の排出管53内と第二蛇口部64とを接続してあり、レバー部64aを操作することによって第二蛇口部64から上側貯水部2a内の水を開閉自在に取り出すことができるように構成されている。
【００５２】
なお、上記第一蛇口部62、第二蛇口部63及びレバー部62a、64aは上側載置板11を利用して冷水器本体１の前面に露出した状態に配設、固定されている（図４）。
【００５３】
そして、第二接続管63には加熱手段としてヒータなどの加熱部材65が配設されており、第二接続管63内の水を所定温度に加熱するように構成されている。なお、加熱部材65は、第二接続管63内の水の温度を検出し、水の温度が予め定めた一定温度未満となった場合に電源が自動的に入り、第二接続管63内の水を加熱する一方、水の温度が一定温度以上となった場合には電源が自動的に切れ、第二接続管63内の水の加熱を停止するように図示しない制御装置によって制御されている。
【００５４】
又、貯水槽２の底部21には、貯水槽２内に酸素を供給するための酸素供給部７が一体的に配設されている。この酸素供給部７は、空気中の窒素を殆ど除去し酸素を取り出す酸素発生器71に供給管72を介して接続されており、酸素発生器71で取り出された酸素は供給管72を通じて酸素供給部７に供給され、酸素供給部７から貯水槽２内に供給される。なお、酸素供給部７は、この酸素供給部７から供給された酸素の全てが仕切板４の酸素空間部43内に保持されるように貯水槽２の底部21に調整、配設されている。酸素発生器71は、下側空間部15内配設されている。又、酸素発生器としては、例えば、ＳＡＮＳＯＴＥＣＨ社から市販されているＲＶＳＡ方式の酸素発生器を用いることができる。
【００５５】
この酸素供給部７から貯水槽２内に供給された酸素は全て、仕切板４の酸素空間部43に保持されて酸素空間部43内には酸素層43aが形成され、この酸素の一部が下側貯水層2b内の水に溶け込むと共に、酸素空間部43内の酸素は、仕切板４の酸素流通孔45aを通じて断続的に上側貯水部2a内に進入し、この進入した酸素の一部が上側貯水部2a内の水に溶け込む。
【００５６】
更に、貯水槽の下側貯水部2bを構成している周壁部22の外周面には冷却管８が複数回に亘って巻回されており、この冷却管８によって下側貯水部2b内の水が冷却されるように構成されている。なお、図１において、81は、冷却管８に冷却媒体を供給，循環させるための冷却装置であって汎用のものが用いられ、中央空間部14内に固定されている。
【００５７】
次に、上記冷水器Ａの使用要領について説明する。先ず、水やジュースなどの飲料水を入れたペットボトルなどの容器Ｂを用意する。そして、容器装着部材３の支持部3a内に容器Ｂをその開口部を下方にして配設する。すると、容器Ｂの上部B2が容器支持部32bの内周面321bに支持された状態となると共に、容器Ｂの口部B1が容器装着部材3の装着部3bの上端部に被嵌した状態となる。この状態においては、容器Ｂの口部B1内に、容器装着部材３の装着部3bの流通孔部35、35が位置した状態となっている。なお、容器装着部材３内に塵などが入らないように、容器Ｂに透明な蓋部材９を着脱自在に被せる。
【００５８】
しかして、容器Ｂ内に収納した水Ｗは、装着部3bの流通孔部35から装着部3b内を通じて、更に、支持部3aの貫通孔3cを通じて、貯水槽２内に供給される。なお、容器Ｂ内の水Ｗが排出されるには容器Ｂ内に空気が供給される必要があるが、容器装着部材３の容器支持部32bの内周面321bと、容器Ｂの上部B2との間には隙間が形成されており、この隙間を通じて空気が容器Ｂ内に流入する。又、貯水槽２内の水がＬ3に達するまでは、装着部3b内を通じて流通孔部35からも容器Ｂ内に空気が容器Ｂ内に流入する。
【００５９】
そして、容器Ｂ内の水が貯水槽２内に順次、供給されて、貯水槽２内の水位がＬ1となった時点、即ち、貯水槽２内の水位が容器Ｂの口部B1の開口端(下端)に達した時点で、容器Ｂ内への空気の流入が停止して、容器Ｂから貯水槽２への水Ｗの供給は停止する。
【００６０】
又、酸素発生器によって空気中から酸素を抽出し、この抽出した酸素を供給管72を通じて酸素供給部71から貯水槽２の下側貯水部2b内に供給している。この酸素供給部71から下側貯水部2b内に供給した酸素は全て浮力によって上昇し仕切板４の酸素空間部43内に溜められて、酸素による層、即ち、酸素層43aが形成される。
【００６１】
そして、酸素空間部43内の酸素は、下側貯水部2b内の水に徐々に溶け込んでいくと共に、仕切板４の膨出部45の酸素流通孔45aを通じて気泡になりながら断続的に上側貯水部2a内に進入し浮力によって上昇し、上側貯水部2a内に進入した酸素の一部は上側貯水部2a内の水に溶け込んでいく。
【００６２】
更に、冷却管８には冷却媒体が流通されており、貯水槽２の下側貯水部2b内の水が所定温度に冷却されている。そして、下側貯水部2bの内面に上記冷却によって氷が生成し、下側貯水部2bの内面から離脱することがあるが、この氷は、氷仕切板４の氷規制部41によって、仕切板４の外周縁とこれに対向する貯水槽２の内周面との間に形成された隙間2cを通じて上側貯水部2a内に進入するのを防止されていると共に、酸素保持板42によって氷が酸素空間部43内に浸入するのが防止されている。
【００６３】
これに対して、貯水槽２の上側貯水部2aには冷却管は配設されておらず、上側貯水部2a内の水は、外部から冷却部材などによって積極的に冷却されていない。
【００６４】
ここで、上下貯水部2a、2bは、仕切板４の外周縁とこれに対向する貯水槽２の内周面との間に形成された隙間2cによって連通していると共に、上下貯水部2a、2b内の水の間には仕切板４が存在しているだけである。
【００６５】
しかしながら、貯水槽２の隙間2cは、数ミリ以下の狭いものであって、下側貯水部2b内の水が減少した場合に、上側貯水部2a内の水が下側貯水部2b内に流入できるものの、下側貯水部2b内の水と、上側貯水部2a内の水とが積極的に対流を生じて、上下貯水部2a、2b内の水が互いに混合することができるものではない。
【００６６】
又、上側貯水部2a内の水は仕切板４を介して下側貯水部2b内の水によって冷却される虞れがある。そこで、上記冷水器１では、仕切板４の下面に酸素空間部43を形成し、この酸素空間部43内に酸素層43aを形成することにより、上側貯水部2aの仕切壁44で囲まれた空間部内の水と、下側貯水部2b内の水とを酸素層43aを断熱層として熱的に切断している。
【００６７】
更に、仕切板４の上面には、酸素空間部43を仕切板４に対して垂直上方に投影した部分内に仕切壁44を立設しており、この仕切壁44で囲まれた空間部内に容器装着部材３の装着部3bの下端開口部及び連結管部46の上端開口部が位置するように構成されている。
【００６８】
そして、上側貯水部2a内の水は、後述するように、連結管部46、管体部54、排出管53及び第二接続管63内を通じて第二蛇口部64から取り出される。この連結管部46の上端開口部に流入する水は、仕切壁44で囲まれた空間部内にある水と、容器Ｂ内から装着部3b内を通じて供給された水とであり、これらの水は、下側貯水部2b内の水によって直接、冷却されておらず、下側貯水部2b内の冷却水によってそれ程、冷却されておらず、冷水器Ａを設置している外気温と略同じ温度に維持されている。
【００６９】
なお、上側貯水部2aの仕切壁44外にある水は、上下貯水部2a、2b同士を連通させている隙間2cによって直接、下側貯水部2b内の水と接触し冷却され、更に、仕切板４を介して下側貯水部2b内の水によって冷却されているが、上述のように、仕切壁44で囲まれた空間部内にある水と、容器Ｂ内から装着部3b内を通じて供給された水とが優先的に、連結管部46の上端開口部内に流入するので、第二蛇口部64に供給される水は、冷水器Ａの設置している外気温に近い温度を有している。逆に、夏季において、仕切壁44で囲まれた空間部内にある水、及び、容器Ｂ内から装着部3b内を通じて供給された水の温度が外気によってぬるくなり過ぎているような場合は、上側貯水部2aの仕切壁44外にある水が、仕切壁44で囲まれた空間部内にある水と、容器Ｂ内から装着部3b内を通じて供給された水を飲み易い温度に冷却する作用も有している。
【００７０】
又、万一、仕切壁44で囲まれた空間部内にある水と、容器Ｂ内から装着部3b内を通じて供給された水が、下側貯水部2b内の水によって過度に冷却された場合に備えて、第二接続管63には加熱部材65が配設されており、第二接続管63内を流通し或いは貯留している水を加熱して第二蛇口部64から取り出される水が外気温に近い状態となるように調整している。なお、第二接続管63内において加熱される水量は、上部貯水部3a内の水量に比して極めて少量であるので、上部貯水部3a内の水を過度に温めてしまうようなことはない。
【００７１】
特に、第二接続管63内に貯留している水を加熱している場合には、この加熱された水は、対流現象によって上方に向かって移動し、排出管53、管体部54及び連結管部46を通じて上側貯水部2a内に移動する一方、加熱された水の移動に伴って、第二接続管63における加熱部材65が配設された部分には別の水が流入し、この水も必要に応じて加熱部材65によって加熱される。このように、第二接続管63内の水を必要に応じて加熱部材65により加熱することによって、上側貯水部2a内の水が過度に冷却されるのを防止して、第二蛇口部64から外気温に近い温度の水が取り出せるように構成されている。
【００７２】
なお、第二接続管63内において加熱部材65によって加熱されて、排出管53、管体部54及び連結管部46を通じて上側貯水部2a内に移動する途上において、下側貯水部2b内を通過するが、この位置に滞留するものではないので、加熱部材65によって加熱された水はその加熱された状態を略維持しつつ上側貯水部2a内に移動すると共に、下側貯水部2b内の水も加熱された水の影響は殆ど受けない。
【００７３】
そして、冷水器Ａから冷却水を取り出すには、コップでレバー部62aを後方に向かって押圧して第一蛇口部62を開閉自在に開放する。すると、下側貯水部2a内の冷却水が、排出部材５のカバー部5bの開口部55cを通じて排出部5a内に流入し、次に、排出部5aの貫通孔52aから第一接続管61に流入して、第一蛇口部62から冷却水を取り出すことができる。
【００７４】
そして、第一蛇口部62から所望量の冷却水を取り出した後は、コップをレバー部62aから除去することによってレバー部62aを元の状態に復帰させて第一蛇口部62を閉止する。第一蛇口部62から貯水槽２内の冷却水を取り出すことによって下側貯水部2b内の水が減少しているが、この減少に伴って上側貯水部2a内の水が隙間2cを通じて下側貯水部2b内に流入する。
【００７５】
そして、貯水層２内の水位、即ち、上側貯水部2aの水位が下がり、貯水槽２内の水位が容器Ｂの口部B1の開口端（下端）の水位Ｌ1よりも下の水位（例えば、水位Ｌ2や水位Ｌ3）になる。すると、容器装着部材３の容器支持部32bの内周面321bと、容器Ｂの上部B2との間に形成された隙間から容器Ｂ内に空気が供給され、この空気の供給に伴って容器Ｂ内から水が流出し、装着部3bの流通孔部35から装着部3b内を通じて、上側貯水部2a内に容器Ｂ内の水が供給される。
【００７６】
なお、第一蛇口部62からの冷却水の取り出し量が多く、貯水槽２内の水位が、支持部3aの貫通孔3cよりも下（例えば、水位Ｌ3）になった場合には、貯水槽２内の水位が貫通孔3cよりも高くなるまで、支持部3aの貫通孔3cを通じても貯水槽２内に容器Ｂ内の水が供給される。
【００７７】
そして、貯水槽２内の水位が上がり、貯水槽２内の水位が、容器Ｂの口部B1の開口端（下端）に等しい水位Ｌ1となった時点で、容器Ｂ内への空気の供給が停止し、貯水槽２内への容器Ｂの水の供給が停止する。
【００７８】
又、冷水器Ａから常温水、即ち、殆ど冷却されていない外気温に近い水を取り出すには、コップでレバー部64aを後方に向かって押圧して第二蛇口部64を開閉自在に開放する。すると、先ず、仕切壁44で囲まれた空間部内にある常温水が、連結管部46の上端開口部から連結管部46内に流入して、この連結管部46に水密的に接続されている管体部54及び排出管53に順次、流入し、更に、第二接続管63内を通じて第二蛇口部64から取り出される。
【００７９】
更に、仕切壁44で囲まれた空間部内にある常温水が連結管部46内に流入して第二蛇口部64から取り出されるにしたがって貯水槽２内の水位、即ち、上側貯水部2aの水位がＬ1から下がる。
【００８０】
すると、第一蛇口部62から冷却水を取り出した時と同様の要領で、容器Ｂ内の水が、装着部3bの流通孔部35から装着部3b内を通じて、場合によっては支持部3aの貫通孔3cも通じて、仕切壁44で囲まれた空間部内に供給される。そして、容器Ｂ内から供給された水は、仕切壁44で囲まれた空間部内にあった水と共に連結管部46内に流入して第二蛇口部64から取り出される。
【００８１】
第二蛇口部64から所望量の冷却水を取り出した後は、コップをレバー部64aから除去することによってレバー部64aを元の状態に復帰させて第二蛇口部64を閉止する。第二蛇口部64から貯水槽２内の常温水を取り出すことによって上側貯水部2a内の水が減少し、貯水層２内の水位、即ち、上側貯水部2aの水位が下がり、貯水槽２内の水位が容器Ｂの口部B1の開口端（下端）よりも下の水位Ｌ2（Ｌ3）になっている。
【００８２】
すると、第一蛇口部62から下側貯水部2b内の冷却水を取り出した後と同様の要領で、容器Ｂ内から貯水槽２内に水が上側貯水部2a内に水が供給されて、上側貯水部の水位がＬ1となって容器Ｂからの貯水槽２内への水の供給が停止する。
【００８３】
なお、容器Ｂ内の水が全て消費された場合には、蓋部材９を取り外した上で容器Ｂを取り除き、別途用意した水の入った容器Ｂを容器装着部材３の装着部3bに上述と同様の要領で着脱自在に取り付けるか、或いは、同一の容器Ｂ内に新たな水を充填した上で容器Ｂを容器装着部材３の装着部3bに上述と同様の要領で着脱自在に取り付ければよい。
【００８４】
以上の如く、上記冷水器Ａは、第一蛇口部62から冷却水を、第二蛇口部64から常温水を別々に取り出すことができる。そして、下側貯水部2b内から冷却水を取り出した場合には、上側貯水部2aの常温水を下側貯水部2bに流入させると共に、容器Ｂから上側貯水部2a内に水を新たに供給して、冷却水よりも相対的に変質し易い上側貯水部2aの常温水を貯水槽２内において積極的に消費するようにしており、常温水及び冷却水をそれぞれ常に所望温度に且つ新鮮な状態に維持している。
【００８５】
又、上側貯水部2a内から常温水を取り出した場合には、容器Ｂから上側貯水部2a内に水を新たに供給して、上側貯水部2a内に容器Ｂから新鮮な水が供給されるように構成されている。
【００８６】
このように、冷水器Ａの貯水槽２の上下貯水部2a、2bへの水の供給は、一つの容器Ｂからの供給で足り、冷水器Ａの小型化を図ることができると共に、冷水器Ａの貯水槽２内への水の供給を一つの容器Ｂの管理だけで足り、メンテナンスも容易である。
【図面の簡単な説明】
【００８７】
【図１】本発明の冷水器を示した縦断面図である。
【図２】排出部材を示した縦断面図である。
【図３】排出部材の分解斜視図である。
【図４】本発明の冷水器を示した正面図である。
【符号の説明】
【００８８】
１     冷水器本体
２     貯水槽
2a     上側貯水部
2b     下側貯水部
2c     隙間
３     容器装着部材
3a     支持部
3b     装着部
４     仕切板
41     氷規制部
42     酸素保持板
43     酸素空間部
43a    酸素層
44     仕切壁
45a    貫通孔
46     連結管部
５     排出部材
5a     排出部
5b     カバー部
53     排出管
54     管体部
55c    開口部
61     第一接続管
62     第一蛇口部
63     第二接続管
64     第二蛇口部
65     加熱部材
７     酸素供給部
８     冷却管
Ａ      冷水器
Ｂ     容器
B1     口部
【図１】
0004759591.tif 000002
【図２】
0004759591.tif 000003
【図３】
0004759591.tif 000004
【図４】
0004759591.tif 000005